(57)【特許請求の範囲】
【請求項１】
複数の植栽ポットを配列したカバートレーと、カバートレーの下部を支持するパレットと、外側に突出した複数の穴受けポケットを配列したホルダーとを有し、カバートレーの下部にパレットを固定することによって載置用植栽基盤が構成され、載置用植栽基盤のカバートレーの上面にホルダーを固定することによって壁面用植栽基盤が構成される多目的植栽基盤において、
カバートレーの複数の植栽ポットに対応して複数のポット穴が配列されたホルダーの裏面に潅水ホースを収納するホース収納溝が設けられると共に、ホース収納溝に間隔をあけて設けられたドリップ潅水口が各ポット穴の上方に独立して配設されたことにより、潅水ホースに設けられた多数のホース孔から排出される水をホース収納溝を通過させて各ドリップ潅水口から各植栽ポットに潅水するようにしたことを特徴とする多目的植栽基盤。
【請求項２】
カバートレーの裏側内部において、各植栽ポットと植栽ポットとの間、各植栽ポットとカバートレーの周部との間及びカバートレーの上部と周部との隅部に補強用リブが形成されていることを特徴とする請求項１記載の多目的植栽基盤。
【請求項３】
カバートレーの四隅にボルト通し穴を有するボルト通し管が一体成形により形成されていることを特徴とする請求項１又は２記載の多目的植栽基盤。
【請求項４】
カバートレーに設けられた中央の植栽ポットの下面の中心に下方へ突出する嵌合爪が形成され、嵌合爪をパレットの上部中心に設けられた嵌合溝に装着するようにしたことを特徴とする請求項１、２又は３記載の多目的植栽基盤。
【請求項５】
ホルダーの外周の所定箇所に設けられた複数の取付用爪が、カバートレーの外周の所定箇所に設けられた複数の外側溝に嵌合することによって、ホルダーをカバートレーの上部に固定すると共に、ホルダーの下面の所定位置に設けられた複数の装着爪をカバートレーの上部の所定位置に設けられた複数の装着溝に装着することによって、ホルダーをカバートレーの上部に取付ける際の位置決め及び嵌合固定を行うようにしたことを特徴とする請求項１、２、３又は４記載の多目的植栽基盤。
【発明の詳細な説明】
【技術分野】
【０００１】
本発明は、人工地盤、陸屋根、折板屋根、壁面、屋内等のように人為的工夫がなければ植物の健全な育成が望めない特殊空間を緑化する際に使用する多目的植栽基盤に関する。
【背景技術】
【０００２】
近年、人工地盤、陸屋根、折板屋根、壁面、屋内等に緑化を推進することが行われている。このような人工地盤、陸屋根、折板屋根、壁面、屋内等は、人為的工夫がなければ植物の健全な育成が望めない特殊空間であり、このような空間に緑化を推進するために、従来から種々の植栽基盤が開発されている。
【０００３】
ここで、従来の技術として特許文献１を参照する。この文献に記載されている発明は、多目的緑化盤に関するものである。その構造は、メッシュ状箱形の本体と蓋体とを結合して成る方形ユニットを形成してなり、本体の平面部に設けられた複数の植栽ポット側を表に向けた状態にして各植栽ポットに草花又は樹木を植えるようにしたものである。また、蓋体の平面部を上方に向けて、その上面で芝生等の地被植物を植栽することを可能としたものである。
【０００４】
さらに、特許文献２は、特許文献１の多目的緑化盤をさらに改良した多目的植栽基盤に関するものである。その構造は、押え桟で仕切られた開放窓を有する押え蓋と、押え蓋の開口側を支持する受皿とを有し、押え蓋内に充填した培土上に芝生シートを設け、この芝生シートを押え桟で押えた状態にして芝生シートの植栽を行うものである。
【０００５】
また、特許文献２は、上記の構成に加えて複数の植栽ポットを備えた植栽ポットトレーを使用することにより、各植栽ポットで草花や樹木等の植物を植栽することが可能となる。さらに、上記の構成に加えて植栽ポット内の培土を受けるポケット状の土受けトレーを設けた緑化盤を構成することにより、この緑化盤を壁面に取付けた状態にして土受けトレーの各ポケットで草花や樹木等の植物を植栽することが可能となる。
【０００６】
上記の特許文献１の構造は、多目的緑化盤を壁面等に取付けることも可能であるが、この多目的緑化盤を垂直状態にすると、各植栽ポット内の土壌がこぼれ落ちるおそれがある。これに対して、特許文献２の多目的植栽基盤は、ポケット状の土受けトレーを設けたことにより、多目的緑化盤を垂直状態にした際、土受けトレーの各ポケットで土壌を受けることができ、植栽ポット内の土壌がこぼれ落ちることなく植栽可能となる。
【先行技術文献】
【特許文献】
【０００７】
【特許文献１】特許第３８９０５３２号公報
【特許文献２】特許第３７３８３２１号公報
【発明の概要】
【発明が解決しようとする課題】
【０００８】
ところで、上記の特許文献２の構造においては、給水管が緑化基盤の内部の土壌に接触しているため、給水管に設けられている給水穴が根詰まりを起こし易く、各植栽ポットに対する給水にムラが生じるおそれがあった。また、給水管を外観的に目視することが不可能であり、給水管の管理や交換作業を容易に行うことができないという不都合があった。
【０００９】
なお、上記の事情を考慮すると、特許文献２のような構造の植栽基盤においては、各植栽ポットに土壌地表面から潅水するのが好ましい。ところが、特許文献２の構造に、土壌地表面から潅水するドリップ潅水装置を後付けで組み込むと、構造が複雑で高価になるという不都合があった。
【００１０】
さらに、特許文献１及び特許文献２のような植栽基盤においては、該植栽基盤の施工における組立ての簡易化を図ると共に、植栽基盤の運搬、管理及びメンテナンスを万全に行うことが可能となるように植栽基盤の構造をより簡単にし、また植栽基盤を屋上や折板屋根等に設置した状態で該植栽基盤の上を歩行可能とする等、構造上の強度化を改善することが望ましい。
【００１１】
本発明は上記の事情に鑑みてなされたもので、人工地盤、陸屋根、折板屋根、壁面、屋内等の人為的工夫がなければ植物の健全な育成が望めない特殊空間を緑化する際に使用する植栽基盤において、潅水ホースに設けられたホース孔に根詰まりが生じることなく、目視確認が可能であって管理や交換作業が容易となり、さらに各植栽ポットに対する給水にムラが生じることなく、植物の健全な育成を図ることができ、さらには節水効果を期待できる多目的植栽基盤を提供することを目的とする。
【００１２】
さらに、本発明は、植栽基盤の重量を増さずに構造強度の向上を図ると共に、基盤材の組立てを簡易化したことにより、施工、運搬、管理が容易であって、且つ堅固な植栽基盤の構造とすることができる多目的植栽基盤を提供することを目的とする。
【課題を解決するための手段】
【００１３】
上記の目的を達成するために、本発明による請求項１の多目的植栽基盤は、複数の植栽ポットを配列したカバートレーと、カバートレーの下部を支持するパレットと、外側に突出した複数の穴受けポケットを配列したホルダーとを有し、カバートレーの下部にパレットを固定することによって載置用植栽基盤が構成され、載置用植栽基盤のカバートレーの上面にホルダーを固定することによって壁面用植栽基盤が構成される多目的植栽基盤において、カバートレーの複数の植栽ポットに対応して複数のポット穴が配列されたホルダーの裏面に潅水ホースを収納するホース収納溝が設けられると共に、ホース収納溝に間隔をあけて設けられたドリップ潅水口が各ポット穴の上方に独立して配設されたことにより、潅水ホースに設けられた多数のホース孔から排出される水をホース収納溝を通過させて各ドリップ潅水口から各植栽ポットに潅水するようにしたことを特徴とする。
【００１４】
また、本発明による請求項２の多目的植栽基盤は、請求項１において、カバートレーの裏側内部において、各植栽ポットと植栽ポットとの間、各植栽ポットとカバートレーの周部との間及びカバートレーの上部と周部との隅部に補強用リブが形成されていることを特徴とする。
【００１５】
また、本発明による請求項３の多目的植栽基盤は、請求項１又は２において、カバートレーの四隅にボルト通し穴を有するボルト通し管が一体成形により形成されていることを特徴とする。
【００１６】
また、本発明による請求項４の多目的植栽基盤は、請求項１、２又は３において、カバートレーに設けられた中央の植栽ポットの下面の中心に下方へ突出する嵌合爪が形成され、嵌合爪をパレットの上部中心に設けられた嵌合溝に装着するようにしたことを特徴とする。
【００１７】
また、本発明による請求項５の多目的植栽基盤は、請求項１、２、３又は４において、ホルダーの外周の所定箇所に設けられた複数の取付用爪が、カバートレーの外周の所定箇所に設けられた複数の外側溝に嵌合することによって、ホルダーをカバートレーの上部に固定すると共に、ホルダーの下面の所定位置に設けられた複数の装着爪をカバートレーの上部の所定位置に設けられた複数の装着溝に装着することによって、ホルダーをカバートレーの上部に取付ける際の位置決め及び嵌合固定を行うようにしたことを特徴とする。
【発明の効果】
【００１８】
本発明の多目的植栽基盤によれば、カバートレーとパレットとを組み合わせることによって、人工地盤、陸屋根、折板屋根、屋内等に設置する載置用植栽基盤を構成することができ、カバートレーに設けられた複数の植栽ポットに草花や樹木等の根部を収容して植栽することが可能となる。
【００１９】
また、本発明の多目的植栽基盤によれば、上記のように、カバートレーとパレットとを組み合わせてなる載置用植栽基盤をそのまま利用し、この載置用植栽基盤のカバートレーの上部にホルダーを固定することにより壁面用植栽基盤を構成することが可能となる。そして、この壁面用植栽基盤を壁面等の垂直面に取り付けると共に、カバートレーに設けられた複数の植栽ポットに草花や樹木等の根部を収容して植栽することが可能となる。また、このような壁面用植栽基盤においては、植栽ポット毎に穴受けポケットが設けられているため、この植栽基盤を垂直状態に設置した際、ホルダーの各ポケットで土壌を受けることができ、植栽ポット内の土壌がこぼれ落ちることなく植栽することが可能となる。
【００２０】
さらに、本発明においては、ホルダーの裏面に設けられた潅水ホースのホース収納溝に間隔をあけて設けられたドリップ潅水口を各ポット穴の上方に独立して配設してあるため、ホース収納溝に潅水ホースを収納して給水することにより、各植栽ポットに土壌表面から潅水することが可能となる。これによって、潅水ホースに設けられたホース孔に根詰まりが生じることなく各植栽ポットに灌水を行うことができ、各植栽ポットにムラなく給水することが可能となり、各植栽ポットに植栽した植物の健全な育成及び節水効果を期待することが可能となる。
【００２１】
さらに、本発明において、灌水ホースは、従来のように植栽基盤内の土壌に接触することなく、ホルダーの裏面のホース収納溝に設けられているため、目視確認が可能であり、多数の植栽基盤を設置してなるシステムの施工、管理、メンテナンスの作業性が向上し、維持費を含むコスト低減化が可能となる。
【００２２】
また、本発明においては、カバートレーの裏側内部において、各植栽ポットと植栽ポットとの間、各植栽ポットとカバートレーの周部との間及びカバートレーの上部と周部との隅部に補強用リブが形成されているため、カバートレー及び各植栽ポットの補強がなされ、本発明の植栽基盤を屋上や折板屋根等に設置した状態でカバートレーの上を歩行する際にも、カバートレーが変形するのを防止することが可能となる。
【００２３】
また、本発明において、カバートレーの四隅にボルト通し穴を有するボルト通し管が一体成形により形成されているため、従来の植栽基盤では別体の塩ビ管等を用意することによって面倒となっていたボルト締結作業を簡易かつ堅固に行うことが可能となる。
【００２４】
また、本発明において、カバートレーに設けられた中央の植栽ポットの下面の中心に下方へ突出する嵌合爪が形成され、嵌合爪をパレットの上部中心に設けられた嵌合溝に装着することによって、カバートレーとパレットとの中心部における結合状態を堅固に行うことが可能である。
【００２５】
さらに、本発明において、ホルダーの外周の所定箇所に設けられた複数の取付用爪が、カバートレーの外周の所定箇所に設けられた複数の外側溝に嵌合することによって、ホルダーをカバートレーの上部にワンタッチで簡単且つ堅固に固定することが可能であると共に、ホルダーの下面の所定位置に設けられた複数の装着爪をカバートレーの上部の所定位置に設けられた複数の装着溝にワンタッチで簡単且つ堅固に装着することが可能であるため、ホルダーをカバートレーに結合する組立て作業の簡易化と組立て後の構造上の強度を向上することが可能となる。
【図面の簡単な説明】
【００２６】
【図１】本発明の実施例に係るカバートレーとパレットとからなる載置用植栽基盤の分解状態を示す斜視図である。
【図２】（ａ）は本発明の実施例に係るカバートレーを上方から見た斜視図であり、（ｂ）はカバートレーを反転して裏面を示す斜視図である。
【図３】(ａ)は本発明の実施例に係るカバートレーの内部を示す下面図であり、（ｂ）は図３（ａ）のＡ−Ａ矢示線断面図であり、（ｃ）は図３（ａ）のＢ−Ｂ矢示線断面図である。
【図４】(ａ)は図３（ａ）のＣ−Ｃ矢示線断面図であり、（ｂ）は図３（ａ）のＤ−Ｄ矢示線断面に関して２個のカバートレーを積載状態にした断面図であり、（ｃ）は図３（ａ）のＦ−Ｆ矢示線断面に関してカバートレーとパレットとホルダーとの結合状態を示す部分断面図であり、（ｄ）は図３（ａ）のＥ−Ｅ矢示線断面に関して２個のカバートレーの積載状態を示す部分断面図である。
【図５】（ａ）は本発明の実施例に係るパレットを上方から見た斜視図であり、（ｂ）はパレットを反転して底面を示す斜視図である。
【図６】(ａ)は本発明の実施例に係るパレットの内部を示す上面図であり、（ｂ）は図６（ａ）のＡ−Ａ矢示線断面図であり、（ｃ）は図６（ａ）のＢ−Ｂ矢示線断面図である。
【図７】(ａ)は図６（ａ）のＣ−Ｃ矢示線断面に関してパレットとカバートレーの結合状態を示す断面図であり、（ｂ）は図６（ａ）のＤ矢示部の部分拡大図であり、（ｃ）は図６（ａ）のＥ−Ｅ矢示線断面図である。
【図８】本発明の実施例に係るホルダーの裏面を示す斜視図である。
【図９】(ａ)は本発明の実施例に係るホルダーの上面図であり、（ｂ）は図９（ａ）のＧ−Ｇ矢示線断面図であり、（ｃ）は図９（ａ）のＦ−Ｆ矢示線断面図であり、（ｄ）は図９（ａ）の正面図である。
【図１０】本発明の実施例に係るホルダーの半分を示す裏面図である。
【図１１】（ａ）は図９（ａ）のＤ−Ｄ矢示線断面図であり、（ｂ）は図９（ａ）のＥ−Ｅ矢示線断面図である。
【図１２】（ａ）は図９（ａ）のＡ−Ａ矢示線断面図であり、（ｂ）は図９（ａ）のＣ−Ｃ矢示線断面図である。
【図１３】本発明の実施例に係るカバートレーとパレットとホルダーとを組み合わせてなる壁面用植栽基盤の施工状態を概略的に示す部分断面斜視図である。
【発明を実施するための形態】
【００２７】
以下、本発明の実施例について図面を参照しながら説明する。
【実施例】
【００２８】
本実施例においては、図１に示すように、複数の植栽ポット５を配列したカバートレー２とカバートレー２の下部を支持するパレット３とを組み合わせることによって、人工地盤、陸屋根、折板屋根、屋内等に設置可能な載置用植栽基盤１Aを構成することができる。また、図１のカバートレー２の下部にパレット３を固定してなる載置用植栽基盤１Ａのカバートレー２の上面に、図８に示すように各ポット穴２０毎に外側に突出した穴受けポケット６を配列してなるホルダー４を固定することによって、図１３に示すような壁面用植栽基盤１Bを構成することができる。
【００２９】
なお、本実施例の多目的植栽基盤は、カバートレー２を単独で使用することも可能である。即ち、図２（ｂ）に示すように、カバートレー２を反転して各植栽ポット５の凸形状を上方に向けた状態にして所定の場所に設置し、この状態のカバートレー２に上方から土壌を充填することにより、草花や樹木等を植栽することが可能となる。この場合、カバートレー２内の多数の植栽ポット５が土壌に対する嵩上げ効果をなして、１個のカバートレー２毎に少ない土壌で植栽を行い軽量化が可能となる。
【００３０】
本実施例において、カバートレー２は、図１に示すように、合成樹脂製からなる矩形の平箱形状であって、図３（ｂ）又は（ｃ）に示すように、上部が下部よりやや窄まった形状に形成されている。また、図２(ｂ)に示すように、カバートレー２の下部は開放された空間を有するように形成されている。
【００３１】
なお、図２（ａ）、(ｂ)に示すように、カバートレー２の外周の所定箇所に設けられた複数の外側溝７、７…は、カバートレー２の上部にホルダー４を固定する際に使用するものであり、カバートレー２の各辺において、中央の外側溝７には、爪係止溝７ｂ（図１２（ｃ）参照）が形成されている。なお、この中央の外側溝７の爪係止溝７ｂ（図１２（ｃ）参照）には、後述するホルダー４の外周に設けられた取付用爪８が嵌合され、この爪係止溝７ｂのない外側溝７には爪なし取付片２１（図１２（ｂ）参照）が取り付けられる。また、カバートレー２の周部には、夫々の外側溝７の間に多数のスリット９が形成され、このスリット９でカバートレー２の内部への通気が行われると共に、カバートレー２の軽量化にも有益となる。
【００３２】
このような構成において、図２（ａ）、（ｂ）に示すように、カバートレー２の上部には、合計９個の植栽ポット５が縦横方向に３個ずつ均等間隔で整列状態に形成されている。また、各植栽ポット５はややテーパ状に窄まった形状を有し、底部５ａが平坦に形成された凸形状を有する。さらに、各植栽ポット５の底部５ａ及び周部５ｂには通気のために多数のスリット５ｃが形成され、このスリット５ｃがカバートレー２の軽量化にも貢献している。このようなカバートレー２によれば、カバートレー２の上方から各植栽ポット５内に各種植物の根部を収容して植栽を行うことが可能となる。
【００３３】
なお、上記の特許文献２の多目的植栽基盤においては押え蓋と植栽ポットトレーとが別体に構成されているが、本実施例の植栽基盤のカバートレー２は、特許文献２の押え蓋と植栽ポットトレーとが一体化されたものであり、これによって構造の簡単化及び施工作業の簡易化を図ることが可能とされている。
【００３４】
また、図２(ｂ)、図３（ａ）〜（ｃ）に示すように、カバートレー２の裏側内部には各植栽ポット５と植栽ポット５との間、及び各植栽ポット５とカバートレー２の周部との間に補強用リブ１０が形成されている。さらに、図３（ａ）及び図４に示すように、カバートレー２の上部と周部との隅部に補強用リブ１０が形成されている。
【００３５】
このようにカバートレー２の内部の各所に補強用リブ１０が形成されたことによって、カバートレー２及び各植栽ポット５の補強がなされ、本実施例の植栽基盤を屋上や折板屋根等に設置した状態でカバートレー２の上を歩行する際にも、カバートレー２が変形するのを防止することが可能となる。
【００３６】
なお、上記のようにカバートレー２の内部の各所に補強用リブ１０が形成された構造は、カバートレー２の梱包或は運搬等の際、又は多数のカバートレー２を積載する際にも有益である。即ち、図４(ｂ)に示すように、カバートレー２を反転して植栽ポット５の凸形状を上方に向けた状態で積層したとき、下方に配置したカバートレー２の補強用リブ１０の端部に上方に積載したカバートレー２の上面が当接する。このようにカバートレーを幾重にも積層し、下段のカバートレーに過大な荷重が加わっても、各カバートレー２は夫々の内部に設けられた補強用リブ１０によって変形が防止された状態で積載される。
【００３７】
また、図１に示すように、本実施例のカバートレー２の下部はパレット３で支持することによって、カバートレー２の開放された下部を閉塞することができる。このような結合状態においては、カバートレー２とパレット３とを固定する必要がある。そのため、従来の特許文献２では、カバートレーとパレットとの四隅のネジ穴に直に挿通した長尺のボルトをパレットの下部にてナットで締結するか、又はカバートレーの内部に所定長さの塩ビ管を介してトレーと結合し、該塩ビ管にボルトを通してナットで締結する方法を用いていた。
【００３８】
このような従来の特許文献２の構成に対して、本実施例では、図２（ｂ）、図３（ａ）、図４（ｄ）に示すように、カバートレー２の四隅にボルト通し管１１が形成されている。このボルト通し管１１はカバートレー２との一体成形により形成され、その内部にボルト通し穴１２が設けられている。図１に示すように、カバートレー２の下部にパレット３を結合する際には、夫々のボルト通し穴１２とパレット３の四隅に設けられたボルト穴３ａに長尺のボルト（不図示）を挿通し、パレット３の下部にてナット（不図示）で締結することにより固定する。なお、図４（ｄ）に示すように、各ボルト通し管１１の周部にリブ１２ａを設けることによって、各ボルト通し管１１を補強することも可能である。
【００３９】
また、上記のボルト通し管１１は、図４（ｄ）に示すように、カバートレー２の上面側を大径部１１ａに形成し、その途中で先部を細径部１１ｂとした形状とすることによって、カバートレー２を積載する際に、下方のボルト通し管１１の細径部１１ｂの先部を上方のボルト通し管１１の大径部１１ａの上端に当るまで挿通することによって、梱包又は運搬等の際の積層状態のカバートレー２の位置決めを行うことができ、互いに横方向にぶれない状態で積層することが可能となる。
【００４０】
さらに、本実施例において、図２（ｂ）に示すように、カバートレー２に設けられた中央の植栽ポット５の下面の中心から下方（図２(ｂ)では上方）へ突出する嵌合爪１３が形成され、嵌合爪１３を図５（ａ）、(ｂ)に示すパレット３の上部中心に設けられた嵌合溝１４に装着することにより、カバートレー２とパレット３との中心部における結合状態を堅固に行うことが可能となる。
【００４１】
なお、図４(ｃ)に示す装着溝１５は、図２（ａ）又は図３（ａ）に示すようにカバートレー２の上部の所定位置に複数設けられ、各装着溝１５に後述するホルダー４の下面内部に設けられた装着爪１６を装着することにより、カバートレー２の上部にホルダー４を固定する際の位置決めを行うことが可能となる。
【００４２】
一方、図５（ａ）、（ｂ）に示すパレット３は、合成樹脂製からなる浅底の矩形皿形状からなり、その外周に外周枠１７が形成され、その外周枠１７の内部にカバートレー２の下部を嵌合して支持する。また、図５（ａ）、(ｂ)及び図６（ａ）〜(ｃ)に示すように、このパレット３の四方には設置部１８の保水層が形成され、さらに底面側は、複数突出した設置部１８の間に十字状の隙間が設置面との間に形成され、排水層として機能することが可能となる。
【００４３】
さらに、カバートレー２とパレット３とを結合する構造として、図５（ａ）、(ｂ)
及び図７（ａ）、（ｂ）、（ｃ）に示すように、パレット３の上部中心には嵌合溝１４が設けられ、この嵌合溝１４に、カバートレー２に設けられた中央の植栽ポット５の下面に突出形成された嵌合爪１３を装着することにより、カバートレー２とパレット３との中心部における結合状態を堅固に行うことが可能である。
【００４４】
また、上記でも説明したが、図３（ａ）〜(ｃ)に示すように、カバートレー２の外周の所定箇所に設けられた複数の外側溝７はその内部に下方を向く固定片７ａが形成され、この固定片７ａが、図５（ａ）、（ｂ）又は図６（ａ）に示すパレット３の周部付近の対応箇所に設けられた固定用穴１９に嵌合されることにより、カバートレー２の下部にパレット３を結合する際の位置決め及び確実な固定を行うことが可能となる。
【００４５】
上記のように構成されたカバートレー２の下部にパレット３を固定することによって、載置用植栽基盤１Aを構成することが可能となる。なお、カバートレー２の内部に土壌を充填するには、図２(ｂ)に示すように、カバートレー２を反転し、上方を開放状態にしたカバートレー２の内部に土壌を入れると、植栽ポット５以外の部分に土壌が充填される。この状態でカバートレー２の開放側にパレット３を閉塞し、上記のようにカバートレー２の中央の植栽ポット５に設けられた嵌合爪１３をパレット３の上部中心に設けられた嵌合溝１４に装着すると共に、カバートレー２の四方のボルト通し穴１２とパレット３の四方のボルト穴４ａにボルト（不図示）を挿通してナット（不図示）で締結することにより固定する。そして、このカバートレー２とパレット３の結合状態を反転することにより、カバートレー２の上部に複数の植栽ポット５を開放した状態とし、各植栽ポット５に草花や樹木等の根部を植栽することが可能となる。
【００４６】
ここで、本実施例の多目的植栽基盤に用いるホルダー４について説明する。図８はホルダー４の裏面を上方に向けて図示したものである。この図に示すように、本実施例のホルダー４は、上記のカバートレー２に設けられた植栽ポット５に対応して、合計９個のポット穴２０が縦横方向に３個ずつ均等間隔で整列状態に形成されている。また、図９（ａ）〜（ｄ）に示すように、各ポット穴２０毎に有底のテーパ形状を縦に半割りした形状の穴受けポケット６が、ポット穴２０の口径の少なくとも粗半分を占める大きさで形成されている。また、夫々の穴受けポケット６は矩形のホルダー４の片方の短尺側に方向を揃えて形成され、図１３に示すように、壁面に対して垂直となるように設けたとき、夫々の穴受けポケット６がすべて植栽ポット５の下部を受けるようにする必要がある。
【００４７】
また、このホルダー４をカバートレー２の上部に固定するには、図４(ｃ)に示すように、ホルダー４の下面に設けられた複数の装着爪１６（図８参照）をカバートレー２の上部の所定位置に設けられた複数の装着溝１５（図２（ａ）参照）に装着することにより位置決めを行う。さらに、図２（ａ）、(ｂ)に示すように、ホルダー４の外周の所定箇所に設けられた取付用爪８をカバートレー２の外周の所定箇所に設けられた外側溝７に嵌合することによって固定する。より詳細には、図２（ａ）に示すようにカバートレー２の各辺に３個の外側溝７が形成され、そのうち中央の外側溝７には爪係止溝７ｂ（図１２（ｃ）参照）が形成されている。そして、図１２（ｃ）に示すように、爪係止溝７ｂには、後述するホルダー４の外周に設けられた取付用爪８が嵌合され、中央の外側溝７の左右の外側溝７、７にはホルダー４の外周に設けられた爪なし取付片２１（図１２（ｂ）参照）が取り付けられる。
【００４８】
また、このホルダー４をカバートレー２の上部に固定するには、図８、図９（ａ）〜(ｄ)に示すように、ホルダー４の外周の所定箇所に間隔をあけて設けられた複数の取付用爪８が、カバートレー２の外周の所定箇所に設けられた複数の外側溝７に嵌合することによって、ホルダー４をカバートレー２の上部にワンタッチで簡単且つ堅固に固定することができる。より詳細に述べると、図９（ａ）〜(ｄ)において、ホルダー４の外周には複数の爪のある取付用爪８と、爪のない取付け片２１が設けられている。取付用爪８の場合は、図１２（ｃ）に示すようにカバートレー２の外周に設けられた外側溝７の爪係止溝７ｂに取付用爪８が嵌合された状態で結合される。また、取付片２１の場合は、図１２(ｂ)に示すように、カバートレー２の外周に設けられた外側溝７に取付片２１が位置決め状態で係止されることとなる。
【００４９】
なお、ホルダー４を梱包又は運送する際に積層した場合、図１１（ａ）に示すように、ホルダー４の外周に設けられた取付用爪８の上部に凹部８ａが形成され、積層した上方のホルダー４の取付用爪８が下方のホルダー４の取付用爪８の上部の凹部８ａに係止されることとなる。また、取付片２１の場合は、図１１（ｂ）に示すように、カバートレー２の外周に設けられた取付片２１の上部に凹部２１ａが形成され、積層した上方のホルダー４の取付片２１が下方のホルダー４の凹部２１ａに係止されることとなる。
【００５０】
さらに、ホルダー４をカバートレー２の上部に固定する際、図８に示すホルダー４の下面の所定位置に設けられた複数の装着爪１６をカバートレー２の上部の所定位置に設けられた複数の装着溝１５（図２（ａ）参照）に装着することによって、ホルダー４をカバートレー２の上部に取付ける際の位置決め及び嵌合固定をワンタッチで簡単且つ堅固に行うことが可能となる。
【００５１】
また、ホルダー４は、図９（ａ）に示すように、その矩形形状の四隅にボルト穴４ａが形成されている。このボルト穴４ａは、図１２（ａ）に示すように、下方に突出した凸部４ｂを有し、ホルダー４をカバートレー２の上部に固定する際、ホルダー４のボルト穴４ａの凸部４ｂがカバートレー２のボルト通し管１１の内部に設けられたボルト通し穴１２の上部に嵌合する。この状態で不図示のボルトをホルダー４のボルト穴４ａから挿通してカバートレー２のボルト通し穴１２を貫通し、図５のパレット３のボルト穴３ａに挿通した状態でナットで固定し、ホルダー４とカバートレー２とパレット３とを結合することにより、図１３に示す壁面用植栽基盤１Bが組立てられる。
【００５２】
さらに、本実施例において、上記のホルダー４には、図８又は図９（ａ）に示すように、ホルダー４はカバートレー２の複数の植栽ポット５に対応して複数のポット穴２０が配列され、このホルダー４の裏面には潅水ホースH（図１２（ａ）、（ｂ）、（ｃ）参照）を収納するホース収納溝２３が設けられている。このホ−ス収納溝２３は下方（ホルダー４の裏面側）を開放した断面半円弧形で、ホルダー４において各３列ずつ配列されたポット穴２０の近傍を直状に設けられ、このホース収納溝２３に間隔をあけて設けられたドリップ潅水口２４が各ポット穴２０の上方に独立して配設されている。なお、ホルダー４の周部に設けられたホ−ス収納溝２３とポット穴２０の近傍を直状に設けられたホ−ス収納溝２３とはやや大径に形成された大径部２３ａが形成され、灌水ホースＨの連結部が大径となるのに対応して収納可能としている。
【００５３】
また、図９(ａ)又は図１０に示すように、各ドリップ潅水口２４が設けられた箇所は、ポット穴２０の中心方向に突出した円弧形状の舌片２５が形成されると共に、舌片２５の先端は湾曲状凹部２６が形成されている。従って、図１２（ｃ）に示すようにホース収納溝２３に収納された潅水ホースHに設けられた多数のホース孔（不図示）から排出される水をホース収納溝２３を通過させて各ドリップ潅水口２４から各植栽ポット５毎に潅水することが可能となる。このような灌水方法は、各植栽ポット５に土壌表面から潅水する理想的な方法であり、これによって潅水ホースＨのホース孔に根詰まりが生じることなく、また各植栽ポット５にムラが生じることなく給水することが可能となり、各植栽ポット５に植栽した植物の健全な育成及び節水効果を期待することが可能となる。
【００５４】
上記の構成により、カバートレー２とパレット３とを組み合わせてなる載置用植栽基盤１Aをそのまま利用して、カバートレー２の上部にホルダー４を結合して固定することにより、図１３に示すように壁面用植栽基盤１Bとして構成することができる。この壁面用植栽基盤１Bを壁面等の垂直面に取り付けてホルダー４の各植栽ポット５に草花や樹木等の根部を植栽することが可能となる。なお、図１３は、壁面のように垂直状に設けた敷設部材２８に本実施例の壁面用植栽基盤１Bを固定すると共に、この壁面用植栽基盤１Bの上方に保護用格子２７を設けたものである。
【産業上の利用可能性】
【００５５】
本発明の多目的植栽基盤は、人工地盤、陸屋根、折板屋根、壁面、屋内等の人為的工夫がなければ植物の健全な育成が望めない特殊空間を緑化する際に使用する植栽基盤において、潅水ホースに設けられたホース孔に根詰まりが生じることなく、目視確認が可能であって管理や交換作業が容易となり、さらに各植栽ポットに対する給水にムラが生じることなく、植物の健全な育成を図ることができ、さらには節水効果を期待できる多目的植栽基盤として利用することが可能となる。
【００５６】
さらに、本発明の多目的植栽基盤は、植栽基盤の重量を増さずに構造強度の向上を図ると共に、基盤材の組立てを簡易化したことにより、施工、運搬、管理が容易であって、且つ堅固な植栽基盤の構造とすることができる多目的植栽基盤として利用可能である。
【符号の説明】
【００５７】
１A  載置用植栽基盤
１B  壁面用植栽基盤
２  カバートレー
３  パレット
３ａ  ボルト穴
４  ホルダー
４ａ  ボルト穴
４ｂ  凸部
５  植栽ポット
５ａ  底部
５ｂ  周部
５ｃ  スリット
６  穴受けポケット
７  外側溝
７ａ  固定片
７ｂ  爪係止溝
８ａ  凹部
９  スリット
１０  補強用リブ
１１  ボルト通し管
１１ａ  大径部
１１ｂ  細径部
１２  ボルト通し穴
１２ａ  リブ
１３  嵌合爪
１４  嵌合溝
１５  装着溝
１６  装着爪
１７  外周枠
１８  設置部
１９  固定用穴
２０  ポット穴
２１  爪なし取付け片
２１ａ  凹部
２３  ホース収納溝
２３ａ  連結部
２４  ドリップ潅水口
２５  舌片
２６  湾曲状凹部
２７  保護用格子
２８  敷設部材
H  潅水ホース
【図１】
0005382586.tif 000002
【図２】
0005382586.tif 000003
【図３】
0005382586.tif 000004
【図４】
0005382586.tif 000005
【図５】
0005382586.tif 000006
【図６】
0005382586.tif 000007
【図７】
0005382586.tif 000008
【図８】
0005382586.tif 000009
【図９】
0005382586.tif 000010
【図１０】
0005382586.tif 000011
【図１１】
0005382586.tif 000012
【図１２】
0005382586.tif 000013
【図１３】
0005382586.tif 000014